(57)【要約】      （修正有）【課題】マウスを操作するときにマウスを動かすためのスペースを確保することができる収納ケースを提供する。【解決手段】ケース本体部１０と、ケース本体部１０を外側から覆う蓋部２０と、を備える収納ケース１であって、ケース本体部１０および蓋部２０の少なくとも何れか一方にマウスパッドを設けたことを特徴とする。蓋部２０は、ケース本体部１０を外側から覆ったときに、収納ケース１の外観面となる第１面２３ａと、第１面２３ａの反対側の面である第２面２３ｂとを有し、第２面２３ｂがマウスパッドのパッド面である。【選択図】図４
0003234338.tif 000002
【実用新案登録請求の範囲】
【請求項１】
ケース本体部と、
前記ケース本体部を外側から覆う蓋部と、を備える収納ケースであって、
前記ケース本体部および前記蓋部の少なくとも何れか一方にマウスパッドを設けたことを特徴とする収納ケース。
【請求項２】
前記蓋部は、
前記ケース本体部を外側から覆ったときに、前記収納ケースの外観面となる第１面と、前記第１面の反対側の面である第２面とを有し、
前記第２面が前記マウスパッドのパッド面であることを特徴とする請求項１に記載の収納ケース。
【請求項３】
前記ケース本体部は、収納空間の開口が上側に向いた状態で接地面に対して自立可能であって、
前記蓋部を、前記ケース本体部を自立させた状態で開くことにより前記接地面と前記第１面とが接することを特徴とする請求項２に記載の収納ケース。
【請求項４】
前記蓋部は、
前記ケース本体部との間で開閉される基端部とは異なる端部にアームレスト部を有することを特徴とする請求項１ないし３の何れか１項に記載の収納ケース。
【請求項５】
前記蓋部は、
前記蓋部の一部を上下に重ね合わせることで構成されるアームレスト部を有することを特徴とする請求項１ないし３の何れか１項に記載の収納ケース。
【請求項６】
前記ケース本体部は、
前記マウスパッドが内蔵されており、
前記マウスパッドは、
前記ケース本体部から引出されることで使用可能な状態に遷移することを特徴とする請求項１に記載の収納ケース。
【請求項７】
前記ケース本体部は、
電子機器を載置する載置面を有し、
前記蓋部は、
前記載置面に載置された電子機器の載置角度を調整する調整部を有することを特徴とする請求項６に記載の収納ケース。
【考案の詳細な説明】
【技術分野】
【０００１】
本考案は、収納ケースに関するものである。
【背景技術】
【０００２】
電子機器や電子機器の付属部品等を収納して持ち運ぶ場合に収納ケースが用いられる（特許文献１）。ユーザがワークスペースで作業をする場合に近くに収納ケースがあると、必要なときに収納ケースから電子機器や電子機器の付属部品等を取り出すことができるので好適である。
【先行技術文献】
【特許文献】
【０００３】
【特許文献１】実用新案登録第３１５２４０９号公報
【考案の概要】
【考案が解決しようとする課題】
【０００４】
ユーザが電子機器の付属部品としてマウスを操作する場合、マウスを動かすためのスペースが必要である。しかしながら、ワークスペースの状態によってはマウスを操作するスペースを確保することができないことがある。
本考案は、上述したような問題点に鑑みてなされたものであり、マウスを操作するときにマウスを動かすためのスペースを確保することができる収納ケースを提供することを目的とする。
【課題を解決するための手段】
【０００５】
本考案の収納ケースは、ケース本体部と、前記ケース本体部を外側から覆う蓋部と、を備える収納ケースであって、前記ケース本体部および前記蓋部の少なくとも何れか一方にマウスパッドを設けたことを特徴とする。
【考案の効果】
【０００６】
本考案によれば、マウスを操作するときにマウスを動かすためのスペースを確保することができる。
【図面の簡単な説明】
【０００７】
【図１】第１の実施形態の収納ケースの構成の一例を示す斜視図である。
【図２】蓋部を開いている途中の状態の収納ケースの構成の一例を示す斜視図である。
【図３】蓋部を開いた状態の収納ケースの構成の一例を示す斜視図である。
【図４】使用状態の収納ケースの構成の一例を示す斜視図である。
【図５】第２の実施形態の収納ケースの構成の一例を示す斜視図である。
【図６】蓋部を開いている途中の状態の収納ケースの構成の一例を示す斜視図である。
【図７】蓋部を開いた状態の収納ケースの構成の一例を示す斜視図である。
【図８】使用状態の収納ケースの構成の一例を示す斜視図である。
【図９】第３の実施形態の収納ケースの構成の一例を示す斜視図である。
【図１０】蓋部を開いた状態の収納ケースの構成の一例を示す斜視図である。
【図１１】上下反転させた状態の収納ケースの構成の一例を示す斜視図である。
【図１２】マウスパッドを引出した収納ケースの構成の一例を示す斜視図である。
【図１３】使用状態の収納ケースの構成の一例を示す斜視図である。
【考案を実施するための形態】
【０００８】
以下、本考案に係る実施形態の収納ケースについて図面を参照して説明する。なお、各図では説明を容易にするために便宜上、前、後、右、左をそれぞれ矢印で示している。
（第１の実施形態）
第１の実施形態の収納ケース１は、電子機器や付属部品等（以下、電子機器という）を収納でき、例えば卓面に置いた状態で使用することができる。
図１は第１の実施形態の収納ケース１の構成の一例を示す斜視図である。図２は蓋部２０を開いている途中の状態の収納ケース１の構成の一例を示す斜視図である。図３は蓋部２０を開いた状態の収納ケース１の構成の一例を示す斜視図である。
【０００９】
収納ケース１は、ケース本体部１０と、蓋部２０とを有する。
まず、ケース本体部１０について説明する。
ケース本体部１０は、電子機器を収納可能である。ケース本体部１０は、後壁部１１ａ、右壁部１１ｂ、左壁部１１ｃ、底壁部１１ｄ、仕切り壁部１２、ポケット部１３ａ、１３ｂ、ストッパ１４、滑止部１５、伸縮バンド１６を有する（図３を参照）。後壁部１１ａ、右壁部１１ｂ、左壁部１１ｃ、底壁部１１ｄによって囲まれる空間が収納物を収納するための収納空間である。ケース本体部１０は上壁部と前壁部とを有していないために、ケース本体部１０の収納空間は少なくとも上側に開口、より具体的には上側かつ前側に開口する。
【００１０】
後壁部１１ａ、右壁部１１ｂ、左壁部１１ｃ、底壁部１１ｄは、それぞれ略板状であり、可撓性を有しつつ外部からの衝撃に対して収納物を保護する強度を有する。具体的に、後壁部１１ａ、右壁部１１ｂ、左壁部１１ｃ、底壁部１１ｄは、外観面となる表地にポリウレタン（合成皮革）、天然皮革等が用いられ、収納空間に面する裏地にポリウレタン、マイクロファイバー等が用いられ、芯材にポリカーボネート、厚紙等が用いられる。
【００１１】
後壁部１１ａは、後側から収納空間を覆う。後壁部１１ａは、左右方向に長い略矩形状である。後壁部１１ａは、右壁部１１ｂ、左壁部１１ｃ、底壁部１１ｄよりも大きい面積の壁面である。
右壁部１１ｂおよび左壁部１１ｃは、それぞれ右側および左側から収納空間を覆う。右壁部１１ｂおよび左壁部１１ｃは、それぞれ左右方向から見て上斜め前側が曲線状である上下方向に長い略扇形状である。
【００１２】
底壁部１１ｄは、下側から収納空間を覆う。底壁部１１ｄは、ケース本体部１０を収納空間の開口が上側に向いた状態になるように卓面に置いたときに卓面（接地面）と接地する。底壁部１１ｄは、上下方向から見て左右方向に長い略矩形状である。底壁部１１ｄは、後壁部１１ａの面積よりも小さい面積であるものの、ケース本体部１０が卓面に安定して置くことができるような面積および形状に設定されている。ここで、最大の面積ではない壁部（底壁部１１ｄ）を接地面に接地させたときにケース本体部１０が倒れないことを自立という。このように、ケース本体部１０が自立可能であるために、ケース本体部１０が卓面を広く占有せず、卓面を有効に利用することができる。
【００１３】
仕切り壁部１２は、右壁部１１ｂと左壁部１１ｃとの間に位置し、収納空間を左右の複数の空間に仕切る。ケース本体部１０の収納空間が仕切り壁部１２により仕切られることにより、収納空間ごとに異なる電子機器を収納することができ、電子機器同士がぶつかり合うことを防止することができる。仕切り壁部１２は、右壁部１１ｂおよび左壁部１１ｃと同形状の略板状であり、収納空間に面する生地にポリウレタン、マイクロファイバー等が用いられ、芯材にポリカーボネート、厚紙等が用いられる。
【００１４】
ポケット部１３ａ、１３ｂは、電子機器を収納する。ポケット部１３ａ、１３ｂは、それぞれ収納空間内に位置しており、右壁部１１ｂと仕切り壁部１２との間、仕切り壁部１２と左壁部１１ｃとの間であって、上側に開口するように後壁部１１ａ側に取り付けられる。また、ポケット部１３ａ、１３ｂは、伸縮可能であって、収納した電子機器の大きさに応じて伸張する。ポケット部１３ａ、１３ｂは、ストレッチ性のある生地等が用いられる。ポケット部１３ａ、１３ｂに電子機器を収納することで、ポケット部１３ａ、１３ｂは収納ケース１を持ち運んでいるときに電子機器が不用意にケース本体部１０内で動かないように保持することができる。
【００１５】
ストッパ１４は、スマートフォンをケース本体部１０に立て掛けた状態に支持する。ストッパ１４は、仕切り壁部１２と左壁部１１ｃとの間であって底壁部１１ｄに位置する凹状の溝である。ストッパ１４は、底壁部１１ｄの左右方向に沿って形成される。スマートフォンをケース本体部１０に立て掛けてもスマートフォンの下端がストッパ１４により支持されることで、スマートフォンの下端が前側に向かって滑り出すことを防止することができる。
【００１６】
滑止部１５は、スマートフォンをケース本体部１０に立て掛けた状態から滑らないように支持する。滑止部１５は、仕切り壁部１２と左壁部１１ｃとの間であって後壁部１１ａの上端あるいは上端近傍に位置する。滑止部１５は、後壁部１１ａの左右方向に沿って固定される。滑止部１５は、スマートフォンの背面と接した状態でスマートフォンとの間で摩擦が大きくなるように、合成皮革、天然皮革、合成ゴム、天然ゴム等が用いられる。スマートフォンをケース本体部１０に立て掛けてもスマートフォンの背面が滑止部１５と接することで、スマートフォンの下端が前側に向かって滑り出すことを防止することができる。
【００１７】
伸縮バンド１６は、収納空間に収納された電子機器を保持する。伸縮バンド１６は、右壁部１１ｂと仕切り壁部１２との間に架け渡されるように取り付けられる。伸縮バンド１６は、合成ゴム、天然ゴム等が用いられる。収納空間の電子機器が伸縮バンド１６により保持されることで、収納ケース１を持ち運んでいるときに電子機器が不用意にケース本体部１０内で動かないように保持したり、蓋部２０を開いたときに収納空間に収納した電子機器が飛び出さないようにしたりすることができる。
【００１８】
次に、蓋部２０について説明する。
蓋部２０は、蓋部２０を閉めた状態ではケース本体部１０の収納空間の上側かつ前側に開けられた開口を外側から覆う。具体的には、蓋部２０は、ケース本体部１０をケース本体部１０の前側、上側および後側から覆う。
【００１９】
蓋部２０は、蓋本体２１、アームレスト部２４、操作部２６を有する（図３を参照）。
蓋本体２１は、略矩形状かつシート状であり、左右方向の幅寸法が後壁部１１ａおよび底壁部１１ｄと略同一であり、左右方向と直交する方向の長さ寸法がケース本体部１０の前側および上側を覆い、更には折り返してケース本体部１０の後側を覆うことができる大きさである。蓋本体２１は、ケース本体部１０の各壁部よりも簡単に撓んだり折り返したりすることができる可撓性を有する。具体的に、蓋本体２１は、ポリウレタン（合成皮革）、天然皮革等が用いられ、薄いシート状の芯材が内包されている。
【００２０】
蓋本体２１は、底壁部１１ｄから連続して一体で構成される。蓋本体２１と底壁部１１ｄとの間には左右方向に亘って曲げ部２２を有する。曲げ部２２は、蓋部２０を開閉するときの基端となる基端部として機能する。蓋部２０を閉めたときには蓋本体２１は右壁部１１ｂ、左壁部１１ｃおよび仕切り壁部１２の湾曲形状に沿うように湾曲し、後壁部１１ａの上端から折り返された後に垂下した状態となる。一方、蓋部２０を開いたときには蓋本体２１はケース本体部１０の前側に広がるように平坦なシート状の状態となり、マウスパッドのパッド面を構成する。具体的に、蓋本体２１のうち、蓋部２０を閉めたときに収納ケース１の外観となる面を第１面２３ａとし、第１面２３ａの反対側の面であって少なくとも一部がケース本体部１０の収納空間と対向する面を第２面２３ｂとする。このとき、蓋部２０を開いた場合には第１面２３ａが接地面と接し、第２面２３ｂが上側になりマウスパッドのパッド面となる。
【００２１】
アームレスト部２４は、使用者が第２面２３ｂをパッド面としてマウスＭを操作するときに使用者の腕が載置される。アームレスト部２４は、蓋本体２１のうち曲げ部２２とは異なる端部、具体的には曲げ部２２に対して反対側の端部に一体的に接続される。アームレスト部２４は、蓋本体２１に一体的に接続された第１重ね部２５ａと、第１重ね部２５ａに対して折り曲げ可能に一体的に接続されており、折り曲げることで第１重ね部２５ａの上に重ねることができる第２重ね部２５ｂとを有する。
【００２２】
第１重ね部２５ａ、第２重ね部２５ｂは、それぞれ略矩形の平板状であり、左右方向の幅寸法が後壁部１１ａおよび底壁部１１ｄと略同一であり、左右方向と直交する方向の長さ寸法が底壁部１１ｄの左右方向と直交する方向の長さ寸法よりも短い寸法である。また、第１重ね部２５ａ、第２重ね部２５ｂは、それぞれ厚み寸法が蓋本体２１の厚み寸法よりも厚い寸法である。具体的に、第１重ね部２５ａは、表地および裏地にポリウレタン（合成皮革）、天然皮革等が用いられ、芯材にポリカーボネート、厚紙等が用いられる。一方、第２重ね部２５ｂは、表地および裏地にポリウレタン（合成皮革）、天然皮革等が用いられ、芯材にポリカーボネートや厚紙等に加えて腕と柔らかく接するためにスポンジ等が用いられる。また、第１重ね部２５ａと第２重ね部２５ｂは、重ねた状態で保持されるように磁石等の吸着部材が内蔵されている。第１重ね部２５ａと第２重ね部２５ｂとを重ねることで、使用者がアームレスト部２４に腕を載置するのに好適な厚み寸法になる。このように、アームレスト部２４を第１重ね部２５ａと第２重ね部２５ｂとで構成することで、第１重ね部２５ａと第２重ね部２５ｂとを重ねないで蓋部２０として機能させるときに蓋部２０の厚み寸法を小さくすることができる。
【００２３】
なお、蓋部２０を閉めたときに第１重ね部２５ａおよび第２重ね部２５ｂは、ケース本体部１０の後壁部１１ａを後側から覆うように位置する。ケース本体部１０の後壁部１１ａは、蓋部２０が閉まった状態に保持されるように、第１重ね部２５ａおよび第２重ね部２５ｂを吸着する磁石等の吸着部材が内蔵されている。
また、蓋部２０は、磁石によって閉まった状態に保持されている蓋部２０を開く操作をするときに使用者が手で摘む操作部２６を有する。操作部２６は、蓋部２０のうち第２重ね部２５ｂの右端部に接続されており、右端部から右側に向かって突出している。操作部２６は、可撓性がある材質を用いることができる。なお、操作部２６は、文字やマーク等を施すことでタグとして機能させてもよい。
【００２４】
上述したように構成される収納ケース１において、図１に示すように蓋部２０を閉めた状態では、ケース本体部１０の収納空間に電子機器を収納することができることから、使用者は容易に電子機器を持ち運ぶことができる。
次に、使用者は収納ケース１に収納された電子機器を取り出したり、蓋部２０をマウスパッドとして用いたりする場合には、収納ケース１を卓面に置いて、図２に示すように蓋部２０を開き、図３に示すように蓋部２０をケース本体部１０の前側に広がるように平坦なシート状の状態とする。
【００２５】
図４は、収納ケース１の使用状態の一例を示す斜視図である。
図４では、ケース本体部１０の左壁部１１ｃと仕切り壁部１２との間の収納空間にスマートフォンＳを配置している。スマートフォンＳの下端は底壁部１１ｄのストッパ１４により支持され、スマートフォンＳの背面が後壁部１１ａの滑止部１５と接することで滑りが防止される。スマートフォンＳは後壁部１１ａに立て掛けられ、後壁部１１ａに荷重が掛けられた状態であるが、ケース本体部１０は倒れないように自立した状態を維持することができる。このように、ケース本体部１０がスマートフォンＳのスタンドとして機能することで、使用者はスマートフォンＳの通知や通話に迅速に対応することができると共に、立て掛けられたスマートフォンに対して直接操作することができる。なお、ケース本体部１０の右壁部１１ｂと仕切り壁部１２との間の収納空間にＡＣアダプターＡやケーブルＣを配置している。
【００２６】
また、図４では、蓋部２０の蓋本体２１の第２面２３ｂにマウスＭを置いており、第２面２３ｂをマウスパッドのパッド面として用いている。このように、卓面に収納ケース１を置いた場合であっても広げた蓋部２０をマウスパッドとして用いることで、マウスＭを操作するときにマウスＭを動かすためのスペースを確保することができる。なお、蓋部２０の第２重ね部２５ｂを第１重ね部２５ａの上に重ねてアームレスト部２４を構成しているので、使用者が腕をアームレスト部２４に載置することで快適にマウスＭを操作することができる。
【００２７】
このように、本実施形態の収納ケース１は、ケース本体部１０と、ケース本体部１０を外側から覆う蓋部２０とを備え、蓋部２０にマウスパッドを設けている。したがって、収納ケース１を卓面に置いた場合であってもマウスＭを操作するときにマウスＭを動かすためのスペースを確保することができ、卓面が占有されることを抑制することができる。
【００２８】
また、本実施形態の蓋部２０は、ケース本体部１０を外側から覆ったときに、収納ケース１の外観面となる第１面２３ａと、第１面２３ａの反対側の面であって少なくとも一部が収納ケース１の収納空間と対向する第２面２３ｂとを有し、第２面２３ｂがマウスパッドのパッド面である。このように、外観面の反対側の面をマウスパッドのパッド面とすることで、パッド面が傷付いたり損傷したりすることを抑制することができる。
【００２９】
（第２の実施形態）
第２の実施形態の収納ケース２は、第１の実施形態の収納ケース１と同様に、電子機器を収納でき、例えば卓面に置いた状態で使用することができる。以下では、主に第１の実施形態の収納ケース１と異なる構成について説明する。
図５は第２の実施形態の収納ケース２の構成の一例を示す斜視図である。図６は蓋部４０を開いている途中の状態の収納ケース２の構成の一例を示す斜視図である。図７は蓋部４０を開いた状態の収納ケース２の構成の一例を示す斜視図である。
【００３０】
収納ケース２は、ケース本体部３０と、蓋部４０とを有する。
まず、ケース本体部３０について説明する。
ケース本体部３０は、後壁部３１ａ、右壁部３１ｂ、左壁部３１ｃ、底壁部３１ｄ、前壁部３１ｅ、ポケット部３３ａ、３３ｂを有する（図７を参照）。後壁部３１ａ、右壁部３１ｂ、左壁部３１ｃ、底壁部３１ｄ、前壁部３１ｅによって囲まれる空間が収納物を収納するための収納空間である。ケース本体部３０は上壁部を有していないために、ケース本体部３０の収納空間は上側に開口する。
【００３１】
後壁部３１ａ、前壁部３１ｅは、それぞれ略板状であり、僅かに可撓性を有しつつ外部からの衝撃に対して収納物を保護する強度を有する。具体的に、後壁部３１ａ、前壁部３１ｅは、外観面となる表地にポリウレタン（合成皮革）、天然皮革等が用いられ、収納空間に面する裏地にポリウレタン、マイクロファイバー等が用いられ、芯材にポリカーボネート、厚紙等が用いられる。また、後壁部３１ａ、前壁部３１ｅは、それぞれ下端に左右方向に沿って長い略板状の脚部３２を有する。脚部３２は、通常時では後壁部３１ａ、前壁部３１ｅの下端から垂下した状態であり、図５に示すようにそれぞれ外側に折り曲げ可能である。脚部３２を折り曲げることで卓面に接地させることができ、ケース本体部３０と卓面との間の接地面積を増やすことができる。
【００３２】
右壁部３１ｂ、左壁部３１ｃ、底壁部３１ｄは、それぞれ略シート状であり、後壁部３１ａ、前壁部３１ｅよりも簡単に撓んだり折り返したりすることができる可撓性を有する。また、右壁部３１ｂ、左壁部３１ｃ、底壁部３１ｄは、各壁部の前後方向の中央に長手方向に沿った折り曲げ部３７を有し、折り曲げ部３７をケース本体部３０の内側に向かって折り曲げることで各壁部を折り畳むことができる。具体的に、右壁部３１ｂ、左壁部３１ｃ、底壁部３１ｄは、ポリウレタン（合成皮革）、天然皮革等が用いられ、芯材が省略されている。したがって、収納空間に電子機器を収納していない状態では右壁部３１ｂ、左壁部３１ｃ、底壁部３１ｄをそれぞれ折り畳むことで、後壁部３１ａと前壁部３１ｅとが接触あるいは近接して、ケース本体部３０全体を扁平な状態にすることができる。
【００３３】
ポケット部３３ａ、３３ｂは、電子機器を収納する。ポケット部３３ａ、３３ｂは、収納空間内に位置しており、左右に分かれて上側に開口するように後壁部３１ａ側に取り付けられる。また、ポケット部３３ａ、３３ｂは、伸縮可能であって、収納した電子機器の大きさに応じて伸張する。ポケット部３３ａ、３３ｂは、ストレッチ性のある生地等が用いられる。
【００３４】
伸縮バンド３６ａ、３６ｂ、３６ｃは、電子機器や文房具等を保持する。伸縮バンド３６ａ、３６ｂ、３６ｃは、収納空間外に位置しており、それぞれ左右に分かれた状態で前壁部３１ｅの前面に取り付けられる。伸縮バンド３６ａ、３６ｂ、３６ｃは、左右方向の長さがそれぞれ異なっており、保持する物品の大きさに応じて保持する伸縮バンド３６ａ、３６ｂ、３６ｃを選択することができる。伸縮バンド３６ａは例えば筆記用具を保持でき、伸縮バンド３６ｂは例えばハブを保持でき、伸縮バンド３６ｃは例えばＡＣアダプター、ケーブルを保持できる。伸縮バンド３６ａ、３６ｂ、３６ｃは、合成ゴム、天然ゴム等が用いられる。
カード収納部３８は、シート状の各種カード等を収納する。カード収納部３８は、収納空間外に位置しており、上側に開口するように前壁部３１ｅの前面に取り付けられる。カード収納部３８は、ポリウレタン（合成皮革）、天然皮革等が用いられる。
【００３５】
次に、蓋部４０について説明する。
蓋部４０は、蓋部４０を閉めた状態ではケース本体部３０の収納空間の上側に開けられた開口を外側から覆う。具体的には、蓋部４０は、ケース本体部３０をケース本体部３０の前側、上側および後側から覆う。
【００３６】
蓋部４０は、蓋本体４１、ストッパ３４、操作部４６を有する（図７を参照）。
蓋本体４１は、ケース本体部３０の後壁部３１ａ、前壁部３１ｅよりも簡単に撓んだり折り返したりすることができる可撓性を有する。具体的に、蓋本体４１は、ポリウレタン（合成皮革）、天然皮革等が用いられ、芯材が省略されている。
蓋本体４１は、前壁部３１ｅの下端との間で左右方向に亘って接続される接続部４２を有する。接続部４２は、蓋部４０を開閉するときの基端となる基端部として機能する。蓋部４０を閉めたときには蓋本体４１は前壁部３１ｅの前側に重なり合い、後壁部３１ａの上端から折り返された後に垂下した状態となる。一方、蓋部４０を開いたときには蓋本体４１はケース本体部３０の前側に広がるように平坦なシート状の状態となり、マウスパッドのパッド面を構成する。具体的には、蓋本体４１のうち、蓋部４０を閉めたときに収納ケース２の外観となる面を第１面４３ａとし、第１面４３ａの反対側の面であって少なくとも一部がケース本体部３０の収納空間と対向する面を第２面４３ｂとする。このとき、蓋部４０を開いた場合には第１面４３ａが接地面と接し、第２面４３ｂが上側になりマウスパッドのパッド面となる。
【００３７】
ストッパ３４は、スマートフォンをケース本体部３０に立て掛けた状態に支持する。ストッパ３４は、蓋本体４１の第２面４３ｂ上であってケース本体部３０に近接して位置する凸状の突起である。ストッパ３４は、左右方向に沿って形成される。スマートフォンをケース本体部３０に立て掛けてもスマートフォンの下端がストッパ３４により支持されることで、スマートフォンの下端が前側に向かって滑り出すことを防止することができる。なお、ストッパ３４は、縦向きの姿勢のスマートフォンを支持する場合に限られず、９０度回転させた横向きの姿勢のスマートフォンも支持することができる。
また、蓋部４０は、蓋部４０を開く操作をするときに使用者が手で掴む操作部４６を有する。操作部４６は、蓋部４０のうち先端側の右端部に接続されており、右端部から右側に向かって突出している。
【００３８】
上述したように構成される収納ケース２において、図５に示すように蓋部４０を閉めた状態では、ケース本体部３０の収納空間に電子機器を収納することができることから、使用者は容易に電子機器を持ち運ぶことができる。
次に、使用者は収納ケース２に収納された電子機器を取り出したり、蓋部４０をマウスパッドとして用いたりする場合には、収納ケース２を卓面に置いて、図６に示すように蓋部４０を開き、図７に示すように蓋部４０をケース本体部３０の前側に広がるように平坦なシート状の状態とする。
【００３９】
図８は、収納ケース２の使用状態の一例を示す斜視図である。
図８では、ケース本体部３０の前壁部３１ｅにスマートフォンＳを立て掛けている。スマートフォンＳの下端は蓋本体４１の第２面４３ｂのストッパ３４により支持される。スマートフォンＳは前壁部３１ｅに荷重が掛けられた状態であるが、ケース本体部３０は脚部３２によって倒れないように自立した状態を維持することができる。このように、ケース本体部３０がスマートフォンＳのスタンドとして機能することで、使用者はスマートフォンＳの通知や通話に迅速に対応できると共に、立て掛けられたスマートフォンに対して直接操作することができる。なお、ケース本体部３０の伸縮バンド３６ｂはハブＨを保持している。
【００４０】
また、図８では、蓋部４０の蓋本体４１の第２面４３ｂにマウスＭを置いており、第２面４３ｂをマウスパッドのパッド面として用いている。このように、卓面に収納ケース２を置いた場合であっても広げた蓋部４０をマウスパッドとして用いることで、マウスＭを操作するときにマウスＭを動かすためのスペースを確保することができる。
【００４１】
このように、本実施形態の収納ケース２は、右壁部３１ｂ、左壁部３１ｃ、底壁部３１ｄが折り畳むことができるので、収納空間に電子機器を収納していない状態ではケース本体部３０全体を扁平な状態にすることができる。したがって、収納ケース２を容易に持ち運んだり、収納ケース２を卓面に置いた場合には広いワークスペースを確保したりすることができる。
【００４２】
（第３の実施形態）
第３の実施形態の収納ケース３は、ノートブック型パーソナルコンピュータやタブレット端末（以下、ノートＰＣという）を収納できると共に、卓面（あるいは膝上）に置いてノートＰＣのスタンド（以下、ＰＣスタンドという）として使用することができる。
図９は第３の実施形態の収納ケース３の構成の一例を示す斜視図である。図１０は蓋部６０を開いた状態の収納ケース３の構成の一例を示す斜視図である。図１１はＰＣスタンドとして使用するために上下反転させた状態の収納ケース３の構成の一例を示す斜視図である。図１２はマウスパッド５７を引出した収納ケース３の構成の一例を示す斜視図である。
【００４３】
収納ケース３は、ケース本体部５０と、蓋部６０とを有する。
まず、ケース本体部５０について説明する。
ケース本体部５０は、ノートＰＣを収納可能である。ケース本体部５０は、表カバー部５１ａ、裏カバー部５１ｂ、側部５１ｃ、ストッパ５９を有する。表カバー部５１ａ、裏カバー部５１ｂ、側部５１ｃによって囲まれる空間がノートＰＣを収納するための収納空間である。ケース本体部５０の収納空間は、後側に開口する（図１０を参照）。
【００４４】
表カバー部５１ａは、上下方向の一方側（例えば上側）から収納空間を覆う。また、収納ケース３を上下反転させてＰＣスタンドとして使用する場合には表カバー部５１ａが下側に位置し卓面（あるいは膝上）に接する。表カバー部５１ａは、左右方向に長い略矩形状かつ略板状であり、可撓性を有する。具体的に、表カバー部５１ａは、ポリウレタン（合成皮革）、天然皮革等が用いられる。
【００４５】
裏カバー部５１ｂは、上下方向の他方側（例えば下側）から収納空間を覆う。また、収納ケース３を上下反転させてＰＣスタンドとして使用する場合には裏カバー部５１ｂが上側に位置してノートＰＣを載置するための載置部として機能する。裏カバー部５１ｂは、左右方向に長い略矩形状かつ略板状である。また、裏カバー部５１ｂは、マウスパッド５７が内蔵されている（図１１を参照）。より詳細には、裏カバー部５１ｂは、ノートＰＣを載置する載置面５２を有する略板状の第１層５３と、収納空間と対向する面であり露出されない図示しない略板状の第２層とが重なり合って構成され、マウスパッド５７が第１層５３と第２層との間に引出し可能に配置される。また、裏カバー部５１ｂは、表カバー部５１ａよりも撓みにくく外部からの衝撃に対して収納物を保護する強度を有する。具体的には、裏カバー部５１ｂのうち第１層５３および第２層は、それぞれポリウレタン（合成皮革）、天然皮革等が用いられ、第１層５３および第２層の間の芯材にポリカーボネート、厚紙等が用いられる。なお、芯材はマウスパッド５７とは重なり合わないように配置される。
【００４６】
また、裏カバー部５１ｂは、収納ケース３をＰＣスタンドとして使用する場合に蓋部６０を所定の形状に保持するための磁石等の複数の吸着部材５４、５５が内蔵されている。吸着部材５４は、裏カバー部５１ｂのうち後側であって蓋部６０寄りに位置し、それぞれ左右に離れて複数、配置される。一方、吸着部材５５は、裏カバー部５１ｂのうち蓋部６０から離れて前後方向の中央側に位置し、それぞれ左右に離れて複数、配置される。
【００４７】
側部５１ｃは、右側、前側、左側から収納空間を覆う。側部５１ｃは、表カバー部５１ａの右端、前端、左端と裏カバー部５１ｂの右端、前端、左端との間を連続して繋ぐ略帯状であり、伸縮性を有する。側部５１ｃは、収納空間にノートＰＣが収納されていない場合には縮み、収納されている場合にはノートＰＣから外力を受けて伸張する。したがって、収納空間にノートＰＣが収納されていない場合には表カバー部５１ａと裏カバー部５１ｂとが接触あるいは近接して、ケース本体部５０全体を扁平な状態にすることができる。側部５１ｃは、ストレッチ性のある生地等が用いられる。
【００４８】
ストッパ５９は、収納ケース３をＰＣスタンドとして使用する場合に裏カバー部５１ｂの載置面５２に載置したノートＰＣの動きを規制する。ストッパ５９は、裏カバー部５１ｂの前端であって左右方向の中央側に、裏カバー部５１ｂの載置面５２と重なり合うように位置する。ストッパ５９は、略舌片状であり、前端が裏カバー部５１ｂに接続され、後端が前端を中心に揺動して起立させることが可能である。ノートＰＣの前端が起立したストッパ５９に当接することで、ノートＰＣが前側に向かって滑り出すことを防止することができる。また、ストッパ５９が不用意に起立せず裏カバー部５１ｂと重なり合った状態に保持されるように、ストッパ５９と裏カバー部５１ｂとは互いに吸着する磁石等の吸着部材が内蔵されている。
【００４９】
次に、蓋部６０について説明する。
蓋部６０は、蓋部６０を閉めた状態ではケース本体部５０の収納空間の後側に開けられた開口を外側から覆う。具体的には、蓋部６０は、ケース本体部５０を後側および表カバー部５１ａのうち上下方向の一方側（例えば上側）から覆う。
【００５０】
蓋部６０は、蓋本体６１、ポケット部６５を有する（図９を参照）。
蓋本体６１は、略矩形状かつ略板状である。蓋本体６１は、左右方向の幅寸法が表カバー部５１ａおよび裏カバー部５１ｂと略同一であり、蓋部６０を閉めた状態では表カバー部５１ａの半分以上を覆うことができる大きさである。
蓋本体６１は、裏カバー部５１ｂから連続して一体で構成される。蓋本体６１と裏カバー部５１ｂとの間には左右方向に亘って曲げ部６２を有する。曲げ部６２は、蓋部６０を開閉するときの基端となる基端部として機能する。蓋本体６１は、蓋部６０を閉めた状態から曲げ部６２を中心として略１８０度開くことで裏カバー部５１ｂとの間でフラットな状態となり、更に略１８０度開くことで裏カバー部５１ｂと重なり合う状態になるまで曲げることができる。
【００５１】
また、蓋本体６１は、第１屈曲部６３ａ、第２屈曲部６３ｂ、第３屈曲部６３ｃを含んで構成される調整部６４を有する。調整部６４は、収納ケース３をＰＣスタンドとして使用する場合に裏カバー部５１ｂの載置面５２に載置されたノートＰＣの載置角度を調整することができる。具体的に、第１屈曲部６３ａ、第２屈曲部６３ｂ、第３屈曲部６３ｃは、それぞれ蓋本体６１の左右方向に亘って形成され、互いに前後方向に離れている。
【００５２】
図１１に示すように収納ケース３を上下反転させて、蓋本体６１を略１８０度開いた状態から、図１２に示すように蓋本体６１を更に略１８０度開いて、第１屈曲部６３ａを谷折り、第２屈曲部６３ｂを山折り、第３屈曲部６３ｃを谷折りにして裏カバー部５１ｂと重なり合わせる。このとき、第１屈曲部６３ａと曲げ部６２との間に内蔵された図示しない吸着部材が裏カバー部５１ｂの吸着部材５４と吸着し、蓋本体６１の先端と第３屈曲部６３ｃとの間に内蔵された図示しない吸着部材が裏カバー部５１ｂの吸着部材５５と吸着する。したがって、蓋本体６１は、左右方向から見て第２屈曲部６３ｂを頂点とする三角形が構成される。ここで、ノートＰＣの前側を裏カバー部５１ｂの載置面５２に載置して、ノートＰＣの後側を第２屈曲部６３ｂ上に載置することで、ノートＰＣの載置角度を裏カバー部５１ｂの載置面５２と平行な角度とは異なる載置角度に調整することができる。
【００５３】
また、蓋本体６１は、表カバー部５１ａよりも撓みにくく外部からの衝撃に対して収納物を保護する強度を有する。具体的には、蓋本体６１は、裏カバー部５１ｂと一体で裏カバー部５１ｂから連続していることから、裏カバー部５１ｂの第１層５３および第２層と同一の材質が用いられ、芯材にポリカーボネート、厚紙等が用いられる。また、蓋本体６１は曲げ部６２の位置で芯材が省略されることで、蓋本体６１は曲げ部６２を介して開閉できるように曲げることができる。また、蓋本体６１は、第１屈曲部６３ａ、第２屈曲部６３ｂ、第３屈曲部６３ｃの位置でそれぞれ芯材が分断されることで、蓋本体６１は第１屈曲部６３ａ、第２屈曲部６３ｂ、第３屈曲部６３ｃの位置で屈曲することができる。
【００５４】
ポケット部６５は、電子機器を収納する。ポケット部６５は、蓋部６０を閉めたときに蓋本体６１の外観となる外側に位置しており、曲げ部６２側に開口するように蓋本体６１に取り付けられる。また、ポケット部６５は、伸縮可能であって、収納した電子機器の大きさに応じて伸張する。ポケット部６５は、メッシュ状のストレッチ性のある生地等が用いられる。
【００５５】
上述したように構成される収納ケース３において、図９に示すように蓋部６０を閉めた状態では、ケース本体部５０の収納空間にノートＰＣを収納することができることから、使用者は容易にノートＰＣを持ち運ぶことができる。
次に、使用者は収納ケース３をＰＣスタンドとして使用し、ケース本体部５０に内蔵されたマウスパッド５７を用いる場合には、図１１に示すように収納ケース３を上下反転させ、図１２に示すように蓋本体６１を第２屈曲部６３ｂを頂点とする三角形に屈曲させて裏カバー部５１ｂに重なり合わせた状態に保持させる。また、使用者は、マウスパッド５７を右側に向かって引出すことで、マウスパッド５７は裏カバー部５１ｂに収まっている状態から裏カバー部５１ｂから露出され使用可能な状態に遷移する。このとき、裏カバー部５１ｂ内の図示しない規制部がマウスパッド５７と当接することで、マウスパッド５７が所定量以上で引出されることを防止することができる。なお、マウスパッド５７は、裏カバー部５１ｂよりも小さい略板状であり、パッド面に合成皮革が用いられ、パッド面に重ね合わされた芯材にポリカーボネート等が用いられる。また、使用者がマウスパッド５７を引出すときに手で摘みやすいようにマウスパッド５７の端部には摘部５８を有する。
【００５６】
図１３は、収納ケース３の使用状態の一例を示す斜視図である。
図１３では、ノートＰＣの前側を裏カバー部５１ｂの載置面５２に載置して、ノートＰＣの後側を第２屈曲部６３ｂ上に載置しており、収納ケース３をＰＣスタンドとして使用することができる。なお、調整部６４により、ノートＰＣの載置角度を裏カバー部５１ｂの載置面５２と平行な角度とは異なる角度に調整することにより、例えば、収納ケース３を膝上に置いてＰＣスタンドして使用する場合であってもノートＰＣに対するキー操作を容易に行うことができる。
【００５７】
また、図１３では、裏カバー部５１ｂからマウスパッド５７を引出してケース本体部５０の右側に配置されている。したがって、収納ケース３を卓面に置いたり、収納ケース３を膝上に置いたりして使用する場合であってマウスＭを操作するときにマウスＭを動かすためのスペースを確保することができる。
【００５８】
このように、本実施形態の収納ケース３は、ケース本体部５０と、ケース本体部５０を外側から覆う蓋部６０とを備え、ケース本体部５０にマウスパッド５７を設けている。したがって、収納ケース３を卓面に置いたり、収納ケース３を膝上に置いたりして使用する場合であって、マウスＭを操作するときにマウスＭを動かすためのスペースを確保することができる。
【００５９】
以上、本考案を上述した実施形態により説明したが、本考案は上述した実施形態に限定されるものではなく、本考案の範囲内で変更等が可能であり、各実施形態および変形例を適宜、組み合せてもよい。
【００６０】
上述した実施形態では、収納ケース１、２、３を構成する構成要素の材質、位置、形状、大きさについて具体的に説明したが、上述した材質、位置、形状、大きさに限定されるものではなく適宜、変更することができる。
上述した実施形態では、各吸着部材が磁石等である場合について説明したが、一方側の吸着部材が磁石であり、他方側の吸着部材は磁石でなく磁石に吸着される部材であってもよい。また、各吸着部材が面ファスナーであってもよい。
【００６１】
上述した第３の実施形態において、調整部６４は複数の段階に調整できるように構成してもよい。具体的には、裏カバー部５１ｂの吸着部材５４と吸着部材５５との間に新たに吸着部材を追加したり、吸着部材５５よりも前側に新たに吸着部材を追加したりする。このように、吸着部材を追加することで、蓋本体６１の先端と第３屈曲部６３ｃとの間に内蔵された図示しない吸着部材を、追加した吸着部材と吸着部材５５とのうち何れかの吸着部材に吸着させるかを選択することで、左右方向から見て第２屈曲部６３ｂを頂点とする三角形の高さを変更することができる。この場合には、調整部６４は、ノートＰＣの載置角度を複数の異なる載置角度に調整することができる。
【００６２】
上述した第３の実施形態において、マウスパッド５７をケース本体部５０から平行移動させるように引出すことで使用状態に遷移させる場合について説明したが、この場合に限られず、マウスパッド５７から回転移動させるように引出すことで使用状態に遷移させるように構成してもよい。
【符号の説明】
【００６３】
１、２、３：収納ケース  １０、３０、５０：ケース本体  ２０、４０、６０：蓋部  ２３ａ、４３ａ：第１面  ２３ｂ、４３ｂ：第２面  ２４：アームレスト部  ５２：載置面  ５７：マウスパッド  ６４：調整部  Ｍ：マウス
【図１】
0003234338.tif 000003
【図２】
0003234338.tif 000004
【図３】
0003234338.tif 000005
【図４】
0003234338.tif 000006
【図５】
0003234338.tif 000007
【図６】
0003234338.tif 000008
【図７】
0003234338.tif 000009
【図８】
0003234338.tif 000010
【図９】
0003234338.tif 000011
【図１０】
0003234338.tif 000012
【図１１】
0003234338.tif 000013
【図１２】
0003234338.tif 000014
【図１３】
0003234338.tif 000015